(57)【要約】【課題】ハンドル（柄）として用いるときには適度の長さにすることができて使い勝手が良くなり、意匠的効果も発揮させることができる折り畳み傘の収納体を提供する。【解決手段】折り畳み傘を折り畳んだ状態で収納するために有底筒状に形成され、底部に前記折り畳み傘の中軸を立設させるための中軸保持部が設けられた収納体であって、径の異なる複数の短尺筒体を入れ子可能に連結して伸縮自在な収納本体を形成し、該収納本体は片手で把持可能な長さ限度まで短縮可能となるように構成されたことを特徴とする。【選択図】    図１
2004236976.tif 000002
【特許請求の範囲】
【請求項１】
折り畳み傘を折り畳んだ状態で収納するために有底筒状に形成され、底部に前記折り畳み傘の中軸を立設させるための中軸保持部が設けられた収納体であって、
径の異なる複数の短尺筒体を入れ子可能に連結して伸縮自在な収納本体を形成し、該収納本体は片手で把持可能な長さ限度まで短縮可能となるように構成されたことを特徴とする折り畳み傘の収納体。
【請求項２】
最下段の前記短尺筒体に前記底部を形成し、短縮した状態では最下段の前記短尺筒体内に該最下段の短尺筒体以外の前記短尺筒体が入れ子式に収容されるように構成したことを特徴とする請求項１に記載の折り畳み傘の収納体。
【発明の詳細な説明】
【０００１】
【発明の属する技術分野】
本発明は、携帯のために折り畳み傘を収納する収納体に関する。
【０００２】
【従来の技術】
図１５に示すように、携帯性及びデザイン性を高めるためにハンドル１００が短くなった折り畳み傘１０１については、該ハンドル１００を５本の指で把持することができず、ハンドル１００の他に中軸１０２を把持して折り畳み傘を支持するようにしていた。
【０００３】
しかし、かかる把持状態は不安定で、指が疲れ易く、風雨の強いときには折り畳み傘が簡単に倒れてしまうという問題があった。
【０００４】
一方、柄体を収納体として用い、不使用時には柄体内に折り畳み傘を収納し、使用時には長い柄体によって傘を安定して保持することができる折り畳み傘が提案されていた（例えば、特許文献１参照）。
【０００５】
【特許文献１】
特開平５−１２３２１１号公報（全頁、第２図）
【０００６】
【発明が解決しようとする課題】
しかし、柄体としては寸法が長くなって使い勝手が悪くなるという問題があった。
【０００７】
本発明は、上述の点に鑑みてなされたものであって、その目的とするところは、ハンドル（柄）として用いるときには適度の長さにすることができて使い勝手が良くなり、意匠的効果も発揮させることができる折り畳み傘の収納体を提供する。
【０００８】
【課題を解決するための手段】
本発明に係る折り畳み傘の収納体は、折り畳み傘を折り畳んだ状態で収納するために有底筒状に形成され、底部に前記折り畳み傘の中軸を立設させるための中軸保持部が設けられた収納体であって、径の異なる複数の短尺筒体を入れ子可能に連結して伸縮自在な収納本体を形成し、該収納本体は片手で把持可能な長さ限度まで短縮可能となるように構成されたことを特徴とするものである。
【０００９】
また、最下段の前記短尺筒体に前記底部を形成し、短縮した状態では最下段の前記短尺筒体内に該最下段の短尺筒体以外の前記短尺筒体が入れ子式に収容されるように構成するのが好ましい。
【００１０】
【発明の実施の形態】
以下、実施の形態について図面を参照して説明する。
【００１１】
図１及び図２は、折り畳み傘Ａを収納する収納体Ｂを示している。
【００１２】
折り畳み傘Ａは、覆い体１と、中軸２と、中軸２の下端に取り付けられるハンドル３とを備えている。覆い体１は、中軸２から放射状に延びる張り骨６を有し、該張り骨６は受け骨７によって支持され、受け骨７の下端は中軸２を摺動するリング８に連結され、バンド９付きの生地１０は張り骨６に取り付けられ、中軸２にはリング８を係止する掛止体１３が設けられている。また、中軸２の先端には石突き部１１が取り付けられ、石突き部１１にはゴム板等から成る円板状の防水板１２が取り付けられている。
【００１３】
なお、この防水板１２は市販の折り畳み傘Ａに後付け可能となっている。例えば、中軸２の図外のねじ部に石突き部１１が螺合される折り畳み傘Ａの場合には、防水板１２の中央に図外の取付孔を設け、該取付孔を中軸２端部の前記ねじ部に挿通したのち、石突き部１１を前記ねじ部に螺合して該石突き部１１によって防水板１２を押さえて固定する。
【００１４】
収納体Ｂは伸長した状態では折り畳み傘Ａを折り畳んで収納できる大きさに設定され、また、収納体Ｂはテレスコープ構造の筒状の収納本体１４を備え、収納本体の下端側の開口部は円盤状の底部部材１５で閉塞され、収納本体の上端側の収納口１７にはキャップ４が取り付けられている。なお、これらの構成部品は合成樹脂成型体である。
【００１５】
図２及び図３のように収納本体１４は、複数の短尺筒体Ｂ１，Ｂ２，Ｂ３を入れ子式に伸縮自在に連結して構成されている。
最下段の短尺筒体Ｂ１は折り畳み傘のハンドルを兼ねるものであり、図１のように片手で把持可能な適度の長さと外径寸法に設定されている。短尺筒体Ｂ１の上端部の内周面には内側突起Ｂ１１が形成され、該内側突起Ｂ１１の内周面には係止溝Ｂ１２及び固定溝Ｂ１３が形成されている。また、内側突起Ｂ１１の下方の短尺筒体Ｂ１の内周面には嵌合凸部Ｂ１４が形成されている。固定溝Ｂ１３には短尺筒体Ｂ１，Ｂ２間に介在するＯリング３０がはめ込まれている。
また、短尺筒体Ｂ１の下端には底部部材１５が接着剤によって接着されている。なお、底部部材１５の外周に雄ねじ部を設け、該雄ねじ部と螺合する雌ねじ部を短尺筒体Ｂ３の下部内周に設けて短尺筒体Ｂ１に底部部材１５を取り付けるようにしても良い。
【００１６】
二段目の短尺筒体Ｂ２の上端部の内周面には内側突起Ｂ２１が形成され、該内側突起Ｂ２１の内周面には係止溝Ｂ２２及び固定溝Ｂ２３が形成されている。内側突起Ｂ２１の下方の短尺筒体Ｂ２の内周面には嵌合凸部Ｂ２４が形成されている。短尺筒体Ｂ２の上端部の外周面には上係止突起Ｂ２５が形成されている。短尺筒体Ｂ２の下端部の外周面には最下段の短尺筒体Ｂ１の内側突起Ｂ１１に係止される下係止突起Ｂ２６が形成され、下係止突起Ｂ２６の外周面には嵌合凹部Ｂ２７が形成されている。固定溝Ｂ２３には短尺筒体Ｂ２，Ｂ３の間に介在するＯリングがはめ込まれている。
【００１７】
また、最上段の短尺筒体Ｂ３の下端部の外周面には下係止突起Ｂ３１が形成され、下係止突起Ｂ３１の外周面には嵌合凹部Ｂ３２が形成され、上端部の外周面には上係止突起Ｂ３３が形成されている。なお、短尺筒体の数は特に限定されない。
【００１８】
図５に示すように、底部部材１５の上面側には、ハンドル３を把持するためのハンドル取付部１６が形成されている。
【００１９】
ハンドル取付部１６は、筒体１４の軸線を囲むように底部部材１５から立設される複数の弾性保持片１６ａを備え、該弾性保持片１６ａの上端部の内周側には係止突起１６ｂが設けられ、係止突起の上面側には内側下方に傾斜したガイド面１６ｃが形成されている。そして、折り畳み傘Ａのハンドル３をハンドル取付部１６に取り付けるときには、ハンドル３を収納口１７から収納体Ｂ内に挿入して底部部材１５の中央部に向けて移動させ、ハンドル３の外周部が弾性保持片１６ａのガイド面１６ｃに沿って移動することにより弾性保持体１６ａを弾性変形させて拡開させ、図５（ｃ）のようにハンドル３が底部部材１５に当たると同時に弾性保持片１６ａが復元して係止突起１６ｂでハンドル３を係止し、弾性保持体１６ａにてハンドル３を把持する。これにより、折り畳み傘Ａの中軸２が収納体Ｂの底部部材１５から立設することになる。なお、図６はハンドル取付部１６の応用例を示している。このように、ハンドル取付部１６の弾性保持片１６ａの立設位置や高さ等を変更することにより、ハンドル３の種々の形状に対応できる。
【００２０】
図２のように、キャップ４はキャップホルダー１８にピン２３によってヒンジ連結され、キャップホルダー１８は収納体Ｂの収納口１７の外側に嵌合されている。
【００２１】
図１０乃至図１１のように、キャップ４はキャップ本体４Ａを備え、該キャップ本体４Ａは円板状の上板２０及び下板２１を有し、上板２０及び下板２１によって円板状の保持体１９を回転自在に挟持している。
【００２２】
保持体１９は、外縁部から径方向に係止体１９ｂが突設され、この係止体１９ｂとは反対側の外側縁から中央部にかけて保持体１９を半径方向に切り欠いて中軸２の挿通部１９ａが形成され、保持体１９の外周縁の一部を切り欠いてストッパー１９ｄが形成され、保持体１９の外周部の上面には操作レバー１９ｃが突設され、保持体１９のうち挿通部１９ａを境界とする半円部は保持部１９ｅとされている。
【００２３】
上板２０の外周縁には逆Ｌ字状のヒンジ連結部２０ｂが突設され、このヒンジ連結部２０ｂにはピン孔２０ｃが横方向から貫設され、ヒンジ連結部２０ｂの上面を斜め上方に傾斜させてキャップ操作面２０ｆが形成されている。また、ヒンジ連結部２０ｂとは反対側の上板２０の外側縁から中央部にかけて上板２０を半径方向に切り欠いて中軸２の挿通部２０ａが形成され、上板２０の外周部には上板２０の中央部を中心とする円弧状のガイド窓２０ｄが形成され、このガイド窓２０ｄとは反対側に位置する上板２０の外周縁にはほぼ半周にわたって接続片２０ｅが垂設されている。
【００２４】
下板２１は、外周縁から中央部にかけて下板２１を半径方向に切り欠くいて中軸２の挿通部２１ａが形成され、下板２１の外周縁にはほぼ半周にわたって切欠部２１ｂが形成されている。
【００２５】
そして、上板２０の接続片２０ｅの下端を下板２１の切欠部２１ｂにはめ込んで接着剤で接続すると共に、保持体１９の操作レバー１９ｃを上板２０のガイド窓２０ｄから突出させてキャップ４を組み立てる。上板２０及び下板２１の挿通部２０ａ、２１ａは上下方向で合致し、上板２０と下板２１との間には保持体１９が回転自在に収められ、上板２０と下板２１との間には図１１のようにほぼ半周にわたって保持体１９の係止体１９ｂが突出する隙間２２が形成され、上下板２０、２１の挿通部２０ａ，２１ａの縁部間には保持体１９の保持部１９ｅが突出する隙間２２ａが形成されている。
【００２６】
キャップホルダー１８は、図１１のように、中央に開口部１８ｈを有し、開口部１８ｈの内周にはキャップ４の座部１８ａが設けられ、座部１８ａよりも上側の上ホルダー部１８ｂの一部は切除されて係止体１９ｂの係止解除部１８ｃが形成され、この係止解除部１８ｃの両側からは一対のヒンジ連結片１８ｄが突設され、各ヒンジ連結片１８ｄにはピン孔１８ｆが横方向に貫設されている。また、上ホルダー１８ｂの内壁面にはほぼ半周にわたって係止体１９ｂの係止溝１８ｅが形成され、この係止溝１８ｅの一端１８ｇは係止解除部１８ｃに向けて開口している。
【００２７】
キャップ４とキャップホルダー１８とは、ヒンジ連結部２０ｂを一対のヒンジ連結片１８ｄ間に位置させ、図１１のようにピン２３を各ピン孔１８ｆ，２０ｃに挿入して連結されている。
【００２８】
次にキャップ４の開閉動作について説明する。図７のように、操作レバー１９ｃをキャップ４の上板２０のヒンジ連結部２０ｂ寄りに位置させたときには、係止体１９ｂがキャップ４のヒンジ連結部２０ｂの下方に位置すると共に保持体１９の挿通部１９ａと上板２０及び下板２１の挿通部２０ａ，２１ａとが合致する。この状態でキャップ４を閉じると、図１２のように係止体１９ｂがキャップホルダー１８の係止解除部１８ｃ内に位置する。
【００２９】
次に、図８のように操作レバー１９ｃを上板２０のヒンジ連結部２０ｂから離れる方向にガイド窓２０ｄに沿って移動させると、係止体１９ｂが係止解除部１８ｃ内に開口する係止溝１８ｅの一端１８ｇから係止溝１８ｅ内に進入してキャップ４がロックされる。なお、キャップ４のロック機構は、キャップ４の係止体１９ｂとキャップホルダー１８の係止溝１８ｅ及び係止解除部１８ｃとで構成される。
【００３０】
図９及び図１３のように、操作レバー１９ｃを更に同方向に移動させると、上下板２０，２１の中央部に位置する部分を除く挿通部２０ａ，２１ａが保持体１９の保持部１９ｅで塞がれ、キャップ４の中央に折り畳み傘Ａの中軸２とほぼ同径の支持孔２４が形成され、保持体１９のストッパー１９ｄは上板２０の接続片２０ｅの端部に係止する。
【００３１】
操作レバー１９ｃを逆方向に移動させてヒンジ連結部１８ｄ寄りの位置に戻すと、キャップ４の係止体１９ｂがキャップホルダー１８の係止溝１８ｅから外れてキャップ４のロック状態が解除される。
【００３２】
そして、ヒンジ連結部１８ｄのキャップ操作面２０ｆを押すことにより、図１１の二点鎖線のようにキャップ４を上方に回動させてキャップ４を開く。なお、このとき、操作レバー１９ｃはヒンジ連結部１８ｄの近くに位置するので、操作レバー１９ｃを操作した指をキャップ操作面２０ｆにスムーズに移行でき、キャップ４のロック解除及びキャップ４の開き動作を一連の動作として行える。
【００３３】
なお、キャップの構造は、収納体Ｂの収納口１７に取り付けられ且つ開口部１８ｈを有するキャップホルダー１８と、該キャップホルダー１８にヒンジ連結されて開口部１８ｈを開閉するキャップ４と、該キャップ４をキャップホルダー１８に係止するロック機構とを備え、キャップ４は、伸長して収納体Ｂの収納口１７から突出する軸棒２をキャップ４の開閉動作時に回避し且つキャップ４の閉状態時に伸長した軸棒２を収容する挿通部を有するキャップ本体４Ａと、該挿通部内に進入退避自在に配設され且つ進入時には挿通部との間に軸棒２を保持する保持部１９ｅを有する保持体１９とを備えたものであれば良い。
【００３４】
また、ロック機構は、保持体１９の外周から径方向に突出する係止体１９ｂと、キャップホルダー１８の開口部１８ｈの内周面に凹設され且つ係止体１９ｂを係止する係止溝１８ｅと、係止体１９ｂを係止溝から解放する係止解除部１８ｃとを備え、係止体１９ｂは保持体１９に設けられた操作体によって操作されるものであれば良い。このように、キャップ等は適宜設計変更できるものである。
【００３５】
なお、手のひら側と収納体Ｂとのフィット性を向上させるために、手のひらと合致する波状部を収納体Ｂの筒体１４の外周面に形成しても良く、また、この波状部によって意匠的効果も発揮される。
【００３６】
このように構成される収納体Ｂは、図３のように伸長した状態では、折り畳み傘を折り畳んだ状態で収納が可能になり、また、短尺筒体Ｂ２，Ｂ３の下係止突起Ｂ２６，Ｂ３１が短尺筒体Ｂ１，Ｂ２の内側突起Ｂ１１，Ｂ２１に係止すると共に短尺筒体Ｂ２，Ｂ３の嵌合凹部Ｂ２７，Ｂ３２が短尺筒体Ｂ１，Ｂ２の嵌合凸部Ｂ１４，Ｂ２４に嵌合して収納体Ｂの伸長状態が保持される。
【００３７】
そして、折り畳み傘Ａを使用しないときには、図２のように、覆い体１を折り畳んでバンドル９で止めると共に中軸２を縮めて収納口１７から収納体Ｂ内に収納した後、上記の要領でキャップ４を閉じてロックする。このとき、図２のように防水板１２が収納体Ｂの収納口１７を閉塞するので、傘本体３に付着した雨水が収納体Ｂの外に漏れ出ることがなく、また、傘本体３の石突き部１１はキャップ４の中央部に接触して傘本体３の位置決めがなされる。
【００３８】
一方、折り畳み傘Ａを使用するときには、上述の要領でキャップ４のロックを解除してキャップ４を開いて中軸２を伸ばすと共に覆い体１を拡げる。次に、キャップ４を閉じるが、このときは挿通部１９ａ，２０ａ，２１ａの存在によりキャップ４は傘本体３の中軸２に邪魔されることなく閉じることができる。次に、上記のようにキャップ４をロックしてキャップ４の中央に支持孔２４を形成して傘本体３の中軸２の中間部分を保持する。これにより、折り畳み傘Ａは、底部部材１５のハンドル取付部１６とキャップ４とで中軸２を２点支持することができ、中軸２の支持状態が一層安定したものとなる。また、図４のように上段側の短尺筒体Ｂ２，Ｂ３を押し下げて短尺筒体Ｂ２，Ｂ３を短尺筒体Ｂ１内に入れ子式に収容することにより、図１のように収納体を片手で把持可能な適度の長さに縮めることができる。また、短尺筒体Ｂ２，Ｂ３の上係止突起Ｂ２５，Ｂ３３が短尺筒体Ｂ１，Ｂ２の係止溝Ｂ１２，Ｂ２２に嵌合する。
【００３９】
また、折り畳み傘１を使用するときに、収納体Ｂを縮めて折り畳み傘１を予め収納体Ｂから露出させるようにすれば、折り畳み傘１の中軸２の伸長が容易になる。また、折り畳み傘１を折り畳むときには、収納体Ｂを縮めた状態で行い、その後収納体Ｂを伸長させて折り畳み傘１を収容すれば、収容が容易になる。
【００４０】
なお、収納体Ｂの伸長状態及び短縮状態の保持手段は上記のものに限定されるものではなく、適宜設計変更されるものである。
【００４１】
【発明の効果】
本発明の折り畳み傘の収納体は、径の異なる複数の短尺筒体を入れ子可能に連結して伸縮自在な収納本体を形成し、該収納本体は片手で把持可能な長さ限度まで短縮可能となるように構成したので、折り畳み傘を収納するときには、伸長させて折り畳み傘の収納をでき、折り畳み傘を使用するときには、短縮させて片手で把持可能な適度の長さにすることにより、ハンドルとして最適な長さにでき、見栄えも良くなる。また、折り畳み傘を収納体から取り出すときには、収納体を縮めた状態で取り出すことができるので、傘の取り出しが容易になる。
【００４２】
最下段の前記短尺筒体に前記底部を形成し、短縮した状態では最下段の前記短尺筒体内に該最下段の短尺筒体以外の前記短尺筒体を入れ子式に収容するように構成すれば、手で把持する最下段の前記短尺筒体に折り畳み傘の重みを直接伝えることができ、ハンドルとして使用するときに折り畳み傘の重みで収納体が不用意に伸長することがなくなる。
【図面の簡単な説明】
【図１】本発明の実施形態の収納体に折り畳み傘を取り付けた状態を示す一部破断した側面図である。
【図２】本発明の実施形態の折り畳み傘の収納体を示す側断面図である。
【図３】本発明の実施形態の折り畳み傘の収納体の伸長状態を示す側断面図である。
【図４】本発明の実施形態の折り畳み傘の収納体の短縮状態を示す側断面図である。
【図５】（ａ）は本発明の実施形態の折り畳み傘の収納体の底部部材を示す平面図、（ｂ）は底部部材を示す側面図、（ｃ）は（ａ）のＸ−Ｘ断面図である。
【図６】本発明の実施形態の収納体のハンドル取付部の他の態様を示す斜視図である。
【図７】本発明の実施形態の折り畳み傘の収納体の平面図である。
【図８】本発明の実施形態の折り畳み傘の収納体のキャップの動作を示す平面図である。
【図９】本発明の実施形態の折り畳み傘の収納体のキャップの動作を示す平面図である。
【図１０】本発明の実施形態の折り畳み傘の収納体のキャップを示す分解斜視図である。
【図１１】本発明の実施形態の折り畳み傘の収納体のキャップ及びキャップホルダーを示す斜視図である。
【図１２】図７のＡ―Ａ断面図である。
【図１３】図９のＢ―Ｂ断面図である。
【図１４】図９のＣ―Ｃ断面図である。
【図１５】折り畳み傘のハンドルを把持した状態を示す斜視図である。
【符号の説明】
Ａ        折り畳み傘
Ｂ        収納体
１４      収納本体
Ｂ１，Ｂ２，Ｂ３    短尺筒体
１６      ハンドル取付部
１６ａ    弾性保持片
【図１】
2004236976.tif 000003
【図２】
2004236976.tif 000004
【図３】
2004236976.tif 000005
【図４】
2004236976.tif 000006
【図５】
2004236976.tif 000007
【図６】
2004236976.tif 000008
【図７】
2004236976.tif 000009
【図８】
2004236976.tif 000010
【図９】
2004236976.tif 000011
【図１０】
2004236976.tif 000012
【図１１】
2004236976.tif 000013
【図１２】
2004236976.tif 000014
【図１３】
2004236976.tif 000015
【図１４】
2004236976.tif 000016
【図１５】
2004236976.tif 000017